(57)【要約】【課題】上位ネットワーク側に多大な負荷を掛けることなく無線端末装置のバッテリー消費を抑制することができる無線基地局装置、無線端末装置、及び通信制御方法を提供する。【解決手段】無線端末装置２０２との間で無線信号を送受信するための無線受信部９３及び無線送信部９４と、無線端末装置２０２のバッテリーの状態に関するバッテリー情報を取得するためのバッテリー情報取得部１１と、を備える。【選択図】図３
2013201501.tif 000002
【特許請求の範囲】
【請求項１】
無線端末装置との間で無線信号を送受信するための送受信部と、
前記送受信部を介して前記無線端末装置のバッテリーの状態に関するバッテリー情報を取得するためのバッテリー情報取得部と、
を備える、無線基地局装置。
【請求項２】
前記バッテリー情報に基づき、前記無線端末装置において行われる動作に関する動作情報を決定するための端末動作決定部をさらに備える、請求項１に記載の無線基地局装置。
【請求項３】
前記端末動作決定部は、前記無線端末装置が行う所定の測定結果の報告周期を、前記動作情報として決定する、請求項２に記載の無線基地局装置。
【請求項４】
前記端末動作決定部は、前記無線端末装置のバッテリー残量が少ないほど前記報告周期が長くなるよう、前記報告周期を決定する、請求項３に記載の無線基地局装置。
【請求項５】
前記端末動作決定部は、前記無線端末装置が行う所定の測定動作における測定周期を、前記動作情報として決定する、請求項２から請求項４のいずれか一項に記載の無線基地局装置。
【請求項６】
前記端末動作決定部は、前記無線端末装置のバッテリー残量が少ないほど前記測定周期が長くなるよう、前記測定周期を決定する、請求項５に記載の無線基地局装置。
【請求項７】
前記無線端末装置が自己の無線基地局装置へ送信する参照信号の測定結果を取得し、前記無線端末装置が自己の無線基地局装置へ送信する無線信号の周波数を前記測定結果に基づいて設定するための周波数設定部をさらに備え、
前記端末動作決定部は、前記参照信号の送信周期を前記動作情報として決定する、請求項２から請求項６のいずれか一項に記載の無線基地局装置。
【請求項８】
前記端末動作決定部は、前記無線端末装置のバッテリー残量が少ないほど前記送信周期が長くなるよう、前記送信周期を決定する、請求項７に記載の無線基地局装置。
【請求項９】
前記端末動作決定部は、前記無線端末装置が無線信号を送信する際における送信電力と消費電力との関係に基づいて、前記無線端末装置から自己の無線基地局装置への無線信号の送信に関するリソースを、前記動作情報として決定する、請求項２から請求項８のいずれか一項に記載の無線基地局装置。
【請求項１０】
前記端末動作決定部は、前記無線端末装置における前記無線信号の送信電力が大きくなるほど前記送信電力の増加量に対する前記無線端末装置の消費電力の増加量の比が小さくなる場合、前記無線信号を送信する際の帯域幅が大きくなるよう前記リソースを決定する、請求項９に記載の無線基地局装置。
【請求項１１】
前記端末動作決定部は、前記無線端末装置における無線信号の送信電力が大きくなるほど前記送信電力の増加量に対する前記無線端末装置の消費電力の増加量の比が大きくなる場合、前記無線信号を送信する際の帯域幅が小さくなるよう前記リソースを決定する、請求項９に記載の無線基地局装置。
【請求項１２】
前記無線端末装置は、無線基地局装置から受信する通信制御情報に基づいて無線基地局装置と通信を行い、前記通信制御情報をモニタすべきオン期間及び前記通信制御情報をモニタしないオフ期間を周期的に繰り返す間欠モニタ動作を行うことが可能であり、
前記端末動作決定部は、前記無線端末装置の前記間欠モニタ動作の周期を、前記動作情報として決定する、請求項２から請求項１１のいずれか一項に記載の無線基地局装置。
【請求項１３】
前記端末動作決定部は、前記無線端末装置のバッテリー残量が少ないほど前記間欠モニタ動作の周期が長くなるよう、前記間欠モニタ動作の周期を決定する、請求項１２に記載の無線基地局装置。
【請求項１４】
前記端末動作決定部は、前記バッテリーの状態が充電中であることを前記バッテリー情報が示す場合には前記動作情報を決定しない、請求項２から請求項１３のいずれか一項に記載の無線基地局装置。
【請求項１５】
前記無線端末装置は、省電力動作を行う省電力モード及び省電力動作を行わない通常モードを選択可能であり、
前記無線基地局装置は、さらに、
前記無線端末装置が前記省電力モード及び前記通常モードのいずれを選択しているかを示すモード情報を取得するためのモード情報取得部を備える、請求項１から請求項１４のいずれか一項に記載の無線基地局装置。
【請求項１６】
前記端末動作決定部は、前記無線端末装置が前記省電力モードを選択していることを前記モード情報が示す場合に前記動作情報を決定する、請求項１５に記載の無線基地局装置。
【請求項１７】
前記無線端末装置は、無線基地局装置からの無線信号の受信電力の測定結果を示す受信電力情報を無線基地局装置に送信し、
前記バッテリー情報取得部は、前記受信電力情報に含まれた前記バッテリー情報を取得する、請求項１から請求項１６のいずれか一項に記載の無線基地局装置。
【請求項１８】
前記無線端末装置のハンドオーバ動作が行われる際、前記バッテリー情報を含むハンドオーバ要求をハンドオーバ先の無線基地局装置へ送信するためのハンドオーバ要求部をさらに備える、請求項１から請求項１７のいずれか一項に記載の無線基地局装置。
【請求項１９】
無線基地局装置との間で無線信号を送受信するための無線端末装置であって、
自己の無線端末装置におけるバッテリーの状態を監視するためのバッテリー状態監視部と、
前記無線基地局装置に対して、前記バッテリーの状態に関するバッテリー情報を送信するためのバッテリー情報送信部と、
を備える、無線端末装置。
【請求項２０】
前記バッテリー情報送信部は、前記バッテリーの残量に応じて前記バッテリー情報を送信する、請求項１９に記載の無線端末装置。
【請求項２１】
無線端末装置から無線信号を受信するステップと、
前記受信するステップにおいて受信した無線信号から、前記無線端末装置のバッテリー状態に関するバッテリー情報を取得するステップと、
を含む、通信制御方法。
【請求項２２】
無線基地局装置との間で無線信号を送受信するための無線端末装置における通信制御方法であって、
自己の無線端末装置におけるバッテリーの状態を監視するステップと、
自己の無線端末装置が在圏するセルを形成する無線基地局装置へ、前記バッテリーの状態に関するバッテリー情報を送信するステップと、
を含む、通信制御方法。
【発明の詳細な説明】
【技術分野】
【０００１】
本発明は、無線基地局装置、無線端末装置、及び通信制御方法に関し、特に、無線端末装置のバッテリー消費を抑制することができる無線基地局装置、無線端末装置、及び通信制御方法に関する。
【背景技術】
【０００２】
近年、移動通信サービスの加入者数の劇的な増加およびデータ通信による通信トラフィック量の増大から、所望の通信エリアの無線通信の容量を増加するためのセル、すなわち無線端末装置が通信可能なエリアを形成するカバレッジ基地局に加えて、たとえば当該カバレッジ基地局の形成するカバレッジセル内に、カバレッジセルよりも半径の小さいセルを形成するキャパシティブースタ基地局を設ける通信システムが提案されている。
【０００３】
しかしながら、ある無線通信エリアを、カバレッジ基地局および複数のキャパシティブースタ基地局により構成する場合、カバレッジ基地局のみで構成する場合と比較して、無線通信エリアの消費電力は増加する。
【０００４】
通信システムにおける消費電力の増加は、無線通信事業における事業運営費（ＯＰＥＸ）および二酸化炭素排出量を増加させるため、消費電力の削減は重要な課題である。たとえば、3GPP, "TS36.300 V9.7.0 Stage 2", 2011-03, P160（非特許文献１）には、ある無線通信エリアを複数の無線基地局装置を用いて構成する場合の電力利用効率改善の一例として、以下のような技術が開示されている。
【０００５】
すなわち、無線通信の容量を補うセルを活用することにより、カバレッジセルを構成する無線基地局装置の通信負荷を軽減すること、当該セルが必要とされていないときには当該セルを消滅させること、および通信の需要に応じて当該セルを再度形成させることにより、消費電力の節減が実現する。
【０００６】
具体的には、キャパシティブースタ基地局は、他の無線基地局装置からの通信開始指示を受けると、無線端末装置との間の無線信号の送受信を開始する活性（Active）状態へ遷移し、無線端末装置との間の通信トラフィック量が少なくなると、無線端末装置との間の無線信号の送受信を停止する休止（Dormant）状態へ遷移する。
【０００７】
ところで、近年、上述した無線基地局装置側の消費電力だけでなく、無線端末装置側の消費電力についても問題となっている。例えば、近年、多機能型の携帯電話端末、いわゆるスマートフォンが普及してきている。このスマートフォンは、通話機能だけでなく種々の機能を有しているため、消費電力が大きくバッテリーがすぐに消費されるという問題がある。このような問題を解消するため、無線基地局装置が強制的に無線端末装置をアイドル状態にすることで無線端末装置の消費電力を抑制する技術が検討されている。
【先行技術文献】
【非特許文献】
【０００８】
【非特許文献１】3GPP, "TS36.300 V9.7.0 Stage 2", 2011-03, P160
【発明の概要】
【発明が解決しようとする課題】
【０００９】
上述したように無線基地局装置が強制的に無線端末装置をアイドル状態にするためには、そのための制御情報を無線基地局装置と上位ネットワーク側との間でやり取りする必要がある。しかしながら、この無線端末装置の制御情報のやり取りによって、上位ネットワーク側に多大な負荷を与えるという問題が新たに生じる。
【００１０】
この発明は、上述の課題を解決するためになされたもので、その目的は、上位ネットワーク側に多大な負荷を掛けることなく無線端末装置のバッテリー消費を抑制することができる無線基地局装置、無線端末装置、及び通信制御方法を提供することである。
【課題を解決するための手段】
【００１１】
（１）上記課題を解決するために、この発明のある局面に係わる無線基地局装置は、無線端末装置との間で無線信号を送受信するための送受信部と、上記送受信部を介して上記無線端末装置のバッテリーの状態に関するバッテリー情報を取得するためのバッテリー情報取得部と、を備えている。
【００１２】
このような構成により、無線基地局装置は、無線端末装置からその無線端末装置のバッテリー情報を取得することができるため、このバッテリー情報に基づき無線端末装置に省電力動作を行わせれば、上位ネットワークとの間で制御情報をやり取りすることなく、無線端末装置に省電力動作を行わせることができる。したがって、上位ネットワーク側に多大な負荷を掛けることなく無線端末装置のバッテリー消費を抑制することができる。
【００１３】
（２）好ましくは、上記バッテリー情報に基づき、上記無線端末装置において行われる動作に関する動作情報を決定するための端末動作決定部をさらに備えている。
【００１４】
この構成によれば、バッテリー情報に基づき無線端末装置に適切な動作をさせることができる。
【００１５】
（３）好ましくは、上記端末動作決定部は、上記無線端末装置が行う所定の測定結果の報告周期を、上記動作情報として決定する。
【００１６】
この構成によれば、バッテリー情報に基づいた適切な周期で所定の測定結果の報告を無線端末装置に対して行わせることができる。
【００１７】
（４）より好ましくは、上記端末動作決定部は、上記無線端末装置のバッテリー残量が少ないほど上記報告周期が長くなるよう、上記報告周期を決定する。
【００１８】
この構成によれば、バッテリー残量が少ないほど無線端末装置による所定の測定結果の報告頻度を少なくすることができるため、無線端末装置のバッテリー消費を抑制することができる。
【００１９】
（５）好ましくは、上記端末動作決定部は、上記無線端末装置が行う所定の測定動作における測定周期を、上記動作情報として決定する。
【００２０】
この構成によれば、バッテリー情報に基づいた適切な周期で所定の測定動作を無線端末装置に対して行わせることができる。
【００２１】
（６）より好ましくは、上記端末動作決定部は、上記無線端末装置のバッテリー残量が少ないほど上記測定周期が長くなるよう、上記測定周期を決定する。
【００２２】
この構成によれば、バッテリー残量が少ないほど無線端末装置による測定動作の頻度を少なくすることができるため、無線端末装置のバッテリー消費を抑制することができる。
【００２３】
（７）好ましくは、上記無線端末装置が自己の無線基地局装置へ送信する参照信号の測定結果を取得し、上記無線端末装置が自己の無線基地局装置へ送信する無線信号の周波数を上記測定結果に基づいて設定するための周波数設定部をさらに備え、上記端末動作決定部は、上記参照信号の送信周期を、上記動作情報として決定する。
【００２４】
このような構成により、バッテリー情報に基づいた適切な周期で、参照信号の送信を無線端末装置に行わせることができる。なお、このような参照信号としては、例えばサウンディング参照信号（SRS: Sounding Reference Signal）を例示することができる。
【００２５】
（８）より好ましくは、上記端末動作決定部は、上記無線端末装置のバッテリー残量が少ないほど上記送信周期が長くなるよう、上記送信周期を決定する。
【００２６】
このような構成により、バッテリー残量が少ないほど無線端末装置による参照信号の送信頻度を少なくすることができるため、無線端末装置のバッテリー消費を抑制することができる。
【００２７】
（９）好ましくは、上記端末動作決定部は、上記無線端末装置が無線信号を送信する際における送信電力と消費電力との関係に基づいて、上記無線端末装置から自己の無線基地局装置への無線信号の送信に関するリソースを、上記動作情報として決定する。
【００２８】
このような構成により、バッテリー情報及び無線端末装置の特性に基づいた適切な条件で無線端末装置に無線信号を送信させることができる。したがって、無線端末装置のバッテリー消費をより抑制することができる。
【００２９】
（１０）より好ましくは、上記端末動作決定部は、上記無線端末装置における上記無線信号の送信電力が大きくなるほど上記送信電力の増加量に対する上記無線端末装置の消費電力の増加量の比が小さくなる場合、上記無線信号を送信する際の帯域幅が大きくなるよう上記リソースを決定する。
【００３０】
このような構成により、無線端末装置は、消費電力の少ない方法で無線信号を送信することができるため、バッテリー消費をより抑制することができる。
【００３１】
（１１）より好ましくは、端末動作決定部は、上記無線端末装置における無線信号の送信電力が大きくなるほど上記送信電力の増加量に対する上記無線端末装置の消費電力の増加量の比が大きくなる場合、上記無線信号を送信する際の帯域幅が小さくなるよう、上記リソースを決定する。
【００３２】
このような構成により、無線端末装置は、消費電力の少ない方法で無線信号を送信することができるため、バッテリー消費をより抑制することができる。
【００３３】
（１２）好ましくは、上記無線端末装置は、無線基地局装置から受信する通信制御情報に基づいて無線基地局装置と通信を行い、上記通信制御情報をモニタすべきオン期間及び上記通信制御情報をモニタしないオフ期間を周期的に繰り返す間欠モニタ動作を行うことが可能であり、上記端末動作決定部は、上記無線端末装置の上記間欠モニタ動作の周期を、上記動作情報として決定する。
【００３４】
このような構成により、バッテリー情報に基づいた適切な周期の間欠モニタ動作を無線端末装置に行わせることができる。
【００３５】
（１３）より好ましくは、上記端末動作決定部は、上記無線端末装置のバッテリー残量が少ないほど上記間欠モニタ動作の周期が長くなるよう、上記間欠モニタ動作の周期を決定する。
【００３６】
このような構成により、無線端末装置が通信制御情報をモニタする頻度をバッテリー残量が少ないほど少なくすることができるため、無線端末装置のバッテリー消費を抑制することができる。
【００３７】
（１４）好ましくは、上記端末動作決定部は、上記バッテリーの状態が充電中であることを上記バッテリー情報が示す場合には上記動作情報を決定しない。
【００３８】
バッテリーの状態が充電中であるとき無線端末装置は省電力動作を行う必要がないため、このような構成にすることにより、必要な場合に限って無線端末装置に省電力動作を行わせることができる。
【００３９】
（１５）好ましくは、上記無線端末装置は、省電力動作を行う省電力モード及び省電力動作を行わない通常モードを選択可能であり、上記無線基地局装置は、さらに、上記無線端末装置が上記省電力モード及び上記通常モードのいずれを選択しているかを示すモード情報を取得するためのモード情報取得部を備える。
【００４０】
このような構成により、無線基地局装置において、使用者が無線端末装置を省電力動作させるか否かのいずれを選択したかを認識することができる。
【００４１】
（１６）より好ましくは、上記端末動作決定部は、上記無線端末装置が上記省電力モードを選択していることを上記モード情報が示す場合に上記動作情報を決定する。
【００４２】
このように使用者が省電力モードを選択した場合にのみ無線端末装置に省電力動作を行わせることにより、省電力モードを望まない使用者の要望に応えることができる。
【００４３】
（１７）好ましくは、上記無線端末装置は、無線基地局装置からの無線信号の受信電力の測定結果を示す受信電力情報を自己の無線基地局装置に送信し、上記バッテリー情報取得部は、上記受信電力情報に含まれた上記バッテリー情報を取得する。
【００４４】
このようにバッテリー情報を受信電力情報に含めることにより、無線端末装置は新規にバッテリー情報を無線基地局装置に送る必要がなくなり、よりバッテリー消費を抑制することができる。
【００４５】
（１８）好ましくは、上記無線端末装置のハンドオーバ動作が行われる際、上記バッテリー情報を含むハンドオーバ要求をハンドオーバ先の無線基地局装置へ送信するためのハンドオーバ要求部をさらに備える。
【００４６】
この構成によれば、無線端末装置がハンドオーバした場合であっても、ハンドオーバ先の無線基地局装置によって、省電力動作の指示を無線端末装置に与えることができる。
【００４７】
（１９）上記課題を解決するために、この発明のある局面に係わる無線端末装置は、無線基地局装置との間で無線信号を送受信するための無線端末装置であって、自己の無線端末装置におけるバッテリーの状態を監視するためのバッテリー状態監視部と、上記無線基地局装置に対して、上記バッテリー状態に関するバッテリー情報を送信するためのバッテリー情報送信部と、を備えている。
【００４８】
このように、無線端末装置は自己のバッテリー情報を無線基地局装置へ送信するため、無線基地局装置は、上位ネットワークとの間で制御情報をやり取りすることなく、この無線端末装置との間でやり取りされるバッテリー情報に基づいて無線端末装置に省電力動作を行わせることができる。したがって、上位ネットワーク側に多大な負荷を掛けることなく無線端末装置のバッテリー消費を抑制することができる。
【００４９】
（２０）好ましくは、バッテリー情報送信部は、上記バッテリーの残量に応じて上記バッテリー情報を送信する。
【００５０】
この構成によれば、バッテリー情報を無線端末装置のバッテリーの残量に応じて適切な時期に送信することができる。
【００５１】
（２１）より好ましくは、上記バッテリー情報送信部は、上記バッテリーの残量が閾値未満となったときに、上記バッテリー情報を送信する。
【００５２】
この構成によれば、バッテリーの残量が少なくなった場合、すなわち、無線端末装置が省電力動作を行う必要の高くなったときにバッテリー情報を送信するため、よりバッテリー消費を抑制することができる。
【００５３】
（２２）上記課題を解決するために、この発明のある局面に係わる通信制御方法は、無線端末装置から無線信号を受信するステップと、上記受信するステップにおいて受信した無線信号から、上記無線端末装置のバッテリー状態に関するバッテリー情報を取得するステップと、を含んでいる。
【００５４】
このように、無線基地局装置は、無線端末装置からその無線端末装置のバッテリー情報を取得することができるため、このバッテリー情報に基づき無線端末装置に省電力動作を行わせれば、上位ネットワークとの間で制御情報をやり取りすることなく、無線端末装置に省電力動作を行わせることができる。したがって、上位ネットワーク側に多大な負荷を掛けることなく無線端末装置のバッテリー消費を抑制することができる。
【００５５】
（２３）また、この発明の別の局面に係わる通信制御方法は、無線基地局装置との間で無線信号を送受信するための無線端末装置における通信制御方法であって、自己の無線端末装置におけるバッテリーの状態を監視するステップと、自己の無線端末装置が在圏するセルを形成する無線基地局装置へ、上記バッテリーの状態に関するバッテリー情報を送信するステップと、を含む。
【００５６】
このように、無線端末装置は自己のバッテリー情報を無線基地局装置へ送信するため、無線基地局装置は、上位ネットワークとの間で制御情報をやり取りすることなく、この無線端末装置との間でやり取りされるバッテリー情報に基づいて無線端末装置に省電力動作を行わせることができる。したがって、上位ネットワーク側に多大な負荷を掛けることなく無線端末装置のバッテリー消費を抑制することができる。
【発明の効果】
【００５７】
本発明によれば、上位ネットワーク側に多大な負荷を掛けることなく無線端末装置のバッテリー消費を抑制することができる。
【図面の簡単な説明】
【００５８】
【図１】本発明の実施形態に係る無線通信システムの構成を示す図である。
【図２】本発明の実施形態に係る無線基地局装置の構成を示す図である。
【図３】本発明の実施形態に係る無線基地局装置における制御部の構成を示す図である。
【図４】本発明の実施形態に係る無線端末装置の構成を示す図である。
【図５】本発明の実施形態に係る無線端末装置における制御部の構成を示す図である。
【図６】本発明の実施形態に係る無線基地局装置が無線端末装置に対して動作情報を通知する際の動作手順の一例を示すフローチャートである。
【図７】本発明の実施形態に係るＲＲＣコネクション再構成指示のメッセージの一例を示す図である。
【図８】本発明の実施形態に係るメジャメントレポートのメッセージの一例を示す図である。
【図９】本発明の実施形態に係る無線基地局装置が無線端末装置に対して動作情報を通知する際の動作のシーケンスを示す図である。
【図１０】本発明の実施形態に係る無線基地局装置が無線端末装置に対して動作情報を通知する際の動作のシーケンスを示す図である。
【図１１】本発明の実施形態に係るハンドオーバ要求の内容の一例を示す図である。
【図１２】本発明の実施形態に係る無線基地局装置が無線端末装置に対して動作情報を通知する際の動作のシーケンスを示す図である。
【図１３】本発明の実施形態に係るハンドオーバ要求の内容の一例を示す図である。
【図１４】図１３のバッテリー情報の詳細を示す図である。
【図１５】本発明の実施形態に係るハンドオーバ要求の内容の一例を示す図である。
【図１６】本発明の実施形態の変形例１に係る無線基地局装置の制御部の構成を示す図である。
【図１７】本発明の実施形態の変形例１に係る無線基地局装置が無線端末装置に対して動作情報を通知する際の動作手順の一例を示すフローチャートである。
【図１８】本発明の実施形態の変形例２に係る無線基地局装置における制御部の構成を示す図である。
【図１９】本発明の実施形態の変形例２に係る無線端末装置のサウンディング参照信号を送信する方法を示す図である。
【図２０】本発明の実施形態の変形例３に係る無線基地局装置が無線端末装置に対して動作情報を通知する際の動作のシーケンスを示す図である。
【図２１】本発明の実施形態の変形例３に係る無線端末装置の特性を示す図である。
【図２２】本発明の実施形態の変形例３に係る無線端末装置の特性を示す図である。
【図２３】本発明の実施形態の変形例３に係る無線端末装置の無線信号送信方法を示す図である。
【図２４】本発明の実施形態の変形例３に係る無線端末装置の無線信号送信方法を示す図である。
【図２５】本発明の実施形態の変形例４に係る無線端末装置のＤＲＸ動作を示す図である。
【図２６】本発明の実施形態の変形例５に係る無線端末装置が無線基地局装置へ送信するバッテリー情報の内容の一例を示す図である。
【図２７】本発明の実施形態の変形例６に係る無線端末装置がバッテリー情報を送信する際の動作手順の一例を示すフローチャートである。
【発明を実施するための形態】
【００５９】
以下、本発明の実施形態について図面を用いて説明する。なお、図中同一または相当部分には同一符号を付してその説明は繰り返さない。
【００６０】
無線基地局装置は、自らの形成するセル及び周辺セルについての情報、すなわち無線信号の周波数および周辺セルのＩＤ（identification）等を無線端末装置に通知する。無線端末装置は、無線基地局装置から通知された情報に基づいて、周辺セルの検出及び測定を行う。無線端末装置は、この測定結果に基づいて、周辺セルへの移動を開始する。ここで、無線端末装置の「移動」とは、ハンドオーバを意味することに加えて、アイドル状態の無線端末装置が今後通信を開始する、すなわち通話またはデータ通信を開始する際にどのセルを介して通信を行うかを選択することを意味する。
【００６１】
たとえば、無線端末装置が無線基地局装置と通信しているときには、無線端末装置の移動先は無線基地局装置またはコアネットワークにおける上位装置が決定する。また、たとえば、無線端末装置が無線基地局装置と通信していないときには、無線端末装置の移動先は無線端末装置が決定する。
【００６２】
また、ハンドオーバとは、通話中またはデータ通信中の無線端末装置の通信相手となる無線基地局装置が切り替えられることを意味する。
【００６３】
また、無線端末装置がセルに在圏している、とは、無線端末装置が、当該セルを形成する無線基地局装置を通信先として選択し、かつ当該無線基地局装置と通信可能な状態または通信中である状態を意味する。
【００６４】
フェムトセル及びアクセスモードは、３ＧＰＰ(Third Generation Partnership Project)  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【００６５】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバー及びＣＳＧノンメンバーにサービスを提供する。また、オープンアクセスモードのフェムト基地局は、通常の基地局として動作する。
【００６６】
本発明の実施形態に係る無線通信システムにおいても、このような３ＧＰＰの定義を適用してもよい。
【００６７】
また、上記定義と合わせて、あるいは別個に、以下のような定義を適用することも可能である。
【００６８】
マクロ基地局及びピコ基地局は、事業者の管理下にあり、事業者と契約している無線基地局装置が通信可能な無線基地局装置である。また、マクロ基地局及びピコ基地局は、基本的に電源がオフになることはないと考えられる。
【００６９】
また、フェムト基地局は、主に個人又は法人の建物内に設置され、ユーザの事情により移動する又は電源がオフになる可能性がある無線基地局装置である。
【００７０】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局およびピコ基地局と同じ動作をする。
【００７１】
［無線通信システムの構成］
図１は、本発明の実施形態に係る無線通信システムの構成を示す図である。
【００７２】
図１に示すように、無線通信システムは、例えば、３ＧＰＰ（Third Generation Partnership Project）で規格化されたＬＴＥ（Long Term Evolution）に従う移動体通信システムであり、無線基地局装置１０１Ａ，１０１Ｂを備える。図１では、２つの無線基地局装置を代表的に示しているが、さらに多数の無線基地局装置が設けられていてもよい。
【００７３】
無線基地局装置１０１Ａ、１０１Ｂは、例えばフェムト基地局、ピコ基地局、又はマクロ基地局である。
【００７４】
無線基地局装置１０１Ａは、セルＣＡを形成し、セルＣＡ内に存在する無線端末装置２０２と無線信号を送受信することにより、当該無線端末装置２０２と通信することが可能である。無線基地局装置１０１Ｂは、セルＣＢを形成し、セルＣＢ内に存在する無線端末装置２０２と無線信号を送受信することにより、当該無線端末装置２０２と通信することが可能である。
【００７５】
ここで、無線端末装置からコアネットワークへの方向を上り方向と称し、コアネットワークから無線端末装置への方向を下り方向と称する。
【００７６】
［無線基地局装置］
図２は、本発明の実施の形態に係る無線基地局装置の構成を示す図である。
【００７７】
図２を参照して、無線基地局装置１０１は、アンテナ９１と、サーキュレータ９２と、無線受信部９３と、無線送信部９４と、信号処理部９５と、制御部９８とを備える。信号処理部９５は、受信信号処理部９６と、送信信号処理部９７とを含む。信号処理部９５および制御部９８は、ＣＰＵ（Central Processing Unit）またはＤＳＰ（Digital Signal Processor）等によって実現される。なお、無線受信部９３と無線送信部９４とを合わせたものが、本発明の送受信部に相当する。
【００７８】
サーキュレータ９２は、アンテナ９１において受信された無線端末装置２０２からの無線信号を無線受信部９３へ出力し、また、無線送信部９４から受けた無線信号をアンテナ９１へ出力する。
【００７９】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【００８０】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してコアネットワーク側へ送信する。
【００８１】
送信信号処理部９７は、コアネットワーク側から受信した通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部９４へ出力する。
【００８２】
無線送信部９４は、送信信号処理部９７から受けたデジタル信号をアナログ信号に変換し、変換したアナログ信号を無線信号に周波数変換してサーキュレータ９２へ出力する。
【００８３】
制御部９８は、無線基地局装置１０１における各ユニットおよびコアネットワークとの間で各種情報をやり取りする。
【００８４】
図３は、本発明の実施形態に係る無線基地局装置における制御部の構成を示す図である。
【００８５】
図３を参照して、制御部９８は、バッテリー情報取得部１１、端末動作決定部１２、及びハンドオーバ要求部１３を含む。
【００８６】
バッテリー情報取得部１１は、無線端末装置２０２のバッテリーの状態に関するバッテリー情報を取得する。このバッテリー情報としては、例えばバッテリーが充電されている（充電中）、バッテリー残量が閾値以上である（High Battery状態）、及びバッテリー残量が閾値未満である（Low Battery状態）等の情報が挙げられる。
【００８７】
端末動作決定部１２は、上述したバッテリー情報に基づき、無線端末装置２０２が省電力動作を行うべきか否かを判断する。そして、端末動作決定部１２は、無線端末装置２０２の省電力動作を行うべきであると判断した場合に、無線端末装置において行われる動作に関する動作情報を決定し、この決定した動作情報を送信信号処理部９７及び無線送信部９４を介して無線端末装置２０２に通知する。
【００８８】
なお、本実施形態において、端末動作決定部１２は、無線端末装置２０２が行う所定の測定動作における測定周期を、動作情報として決定する。この所定の測定動作とは、無線信号の測定、又は無線端末装置２０２の状態の測定を例示することができる。無線信号の測定の具体例としては、例えば、無線基地局装置１０１から送信される無線信号の受信電力の測定、又は無線基地局装置１０１から送信される無線信号の受信品質の測定がある。また、無線端末装置２０２の状態の測定の具体例としては、無線端末装置２０２の移動速度の測定がある。なお、本実施形態では、端末動作決定部１２は、無線端末装置２０２が行う各無線基地局装置から送信される無線信号の受信電力を測定する周期を動作情報として決定するものとして説明する。
【００８９】
ハンドオーバ要求部１３は、無線端末装置２０２のハンドオーバ動作が行われる際、上述したバッテリー情報を含むハンドオーバ要求を、コアネットワークを介してハンドオーバ先の無線基地局装置に送信する。
【００９０】
［無線端末装置］
図４は、本発明の実施形態に係る無線端末装置の構成を示す図である。
【００９１】
図４を参照して、無線端末装置２０２は、アンテナ８１と、サーキュレータ８２と、無線受信部８３と、無線送信部８４と、信号処理部８５と、制御部８８と、入出力部８９とを備える。信号処理部８５は、受信信号処理部８６と、送信信号処理部８７とを含む。信号処理部８５および制御部８８は、ＣＰＵ（Central Processing Unit）またはＤＳＰ（Digital Signal Processor）等によって実現される。
【００９２】
サーキュレータ８２は、アンテナ８１において受信された無線基地局装置１０１からの無線信号を無線受信部８３へ出力し、また、無線送信部８４から受けた無線信号をアンテナ８１へ出力する。
【００９３】
無線受信部８３は、サーキュレータ８２から受けた無線信号をベースバンド信号またはＩＦ（Intermediate Frequency）信号に周波数変換し、この周波数変換した信号をデジタル信号に変換して受信信号処理部８６へ出力する。
【００９４】
受信信号処理部８６は、無線受信部８３から受けたデジタル信号に対してＯＦＤＭ（Orthogonal Frequency Division Multiplex）方式におけるＦＦＴ（Fast Fourier Transform）等の信号処理を行ない、この信号処理後のデジタル信号の一部または全部を制御部８８へ出力する。
【００９５】
制御部８８は、受信信号処理部８６から受けたデジタル信号を、たとえば音声データおよび映像データに変換し、必要に応じてアナログ信号に変換する。そして、制御部８８は、スピーカ、マイク、ディスプレイおよびキー入力装置等を含む入出力部８９へ出力する。
【００９６】
また、制御部８８は、たとえば、音声データ、およびキー入力装置において受け付けた無線端末装置２０２を制御するための制御信号等を入出力部８９から受ける。そして、制御部８８は、入出力部８９から受けた音声データおよび制御信号に所定の信号処理を行なって通信データを生成し、送信信号処理部８７へ出力する。
【００９７】
送信信号処理部８７は、制御部８８から受けた通信データ、または自ら生成した通信データに対してＣＤＭＡ（Code Division Multiple Access）方式における拡散処理等の信号処理を行ない、この信号処理後のデジタル信号を無線送信部８４へ出力する。
【００９８】
無線送信部８４は、送信信号処理部８７から受けたデジタル信号をアナログ信号に変換し、変換したアナログ信号を無線信号に周波数変換してサーキュレータ８２へ出力する。
【００９９】
図５は、本発明の実施形態に係る無線端末装置における制御部の構成を示す図である。
【０１００】
図５を参照して、制御部８８は、バッテリー状態監視部２１と、バッテリー情報送信部２２とを含む。
【０１０１】
バッテリー状態監視部２１は、自己の無線端末装置２０２のバッテリーの状態を監視する。
【０１０２】
バッテリー情報送信部２２は、バッテリー状態監視部２１の監視結果を示すバッテリー情報を自己の無線端末装置２０２が在圏するセルを形成する無線基地局装置１０１へ送信する。なお、上述した無線基地局装置１０１のバッテリー情報取得部１１は、このバッテリー情報を取得する。
【０１０３】
［動作情報の通知］
次に、本発明の実施形態に係る無線基地局装置が無線端末装置に対して動作情報を通知する際の動作手順について詳細に説明する。
【０１０４】
本発明の実施形態に係る通信システムにおける無線基地局装置及び無線端末装置は、以下の各シーケンス及び各フローチャートの各ステップを含むプログラムを図示しないメモリから読み出して実行する。このプログラムは、外部からインストールすることができる。このインストールされるプログラムは、例えば記録媒体に格納された状態で流通する。
【０１０５】
図６は、本発明の実施形態に係る無線基地局装置が、無線端末装置に対して動作情報を通知する際の動作手順を定めたフローチャートである。
【０１０６】
まず、バッテリー情報取得部１１は、無線端末装置２０２のバッテリー情報を取得する（ステップＳ１）。
【０１０７】
次に、端末動作決定部１２は、バッテリー情報取得部１１が取得したバッテリー情報に基づいて、無線端末装置２０２のバッテリーが充電されているか否かを判断する（ステップＳ２）。端末動作決定部１２は、無線端末装置２０２のバッテリーが充電されていると判断すると（ステップＳ２のＹｅｓ）、動作情報を決定することなく処理を終了させる。
【０１０８】
端末動作決定部１２は、無線端末装置２０２が充電されていないと判断すると（ステップＳ２のＮｏ）、次に、当該バッテリーの残量が閾値以上であるか否かを判断する（ステップＳ３）。バッテリー残量の閾値は、無線端末装置２０２のバッテリー容量などに基づいて適宜設定することができる。例えば、バッテリー残量の閾値は、バッテリー残量がその閾値未満になってしばらくするとバッテリー残量が空になる可能性が高いような値に設定することが好ましい。例えば、バッテリー容量の３０％を閾値とすることができる。
【０１０９】
端末動作決定部１２は、バッテリー残量が閾値以上であると判断すると（ステップＳ３のＹｅｓ）、動作情報を決定することなく処理を終了させる。一方、端末動作決定部１２は、バッテリー残量が閾値未満であると判断すると（ステップＳ３のＮｏ）、動作情報を決定し、この決定した動作情報を無線端末装置２０２に通知する（ステップＳ４）。例えば、端末動作決定部１２は、無線端末装置２０２が各無線基地局装置から送信される無線信号の受信電力を測定する周期を、現在の測定周期よりも長くすることを決定し、この決定した測定周期を無線端末装置２０２に通知する。
【０１１０】
以上により、無線基地局装置１０１は、無線端末装置２０２に省電力動作を行わせて、無線端末装置２０２におけるバッテリー消費を抑制することができる。
【０１１１】
次に、無線基地局装置が無線端末装置からバッテリー情報を取得し、取得したバッテリー情報に基づいて無線端末装置に動作情報を通知する際の動作についての詳細を説明する。なお、無線端末装置は、各無線基地局装置から送信される無線信号の受信電力を測定し、その測定結果をメジャメントレポート（Measurement Report）として、在圏するセルを形成する無線基地局装置へと送信する。無線端末装置がメジャメントレポートを無線基地局装置に送信するタイミングは、定期的に送信するタイプと、イベント発生時に送信するタイプとの２種類がある。
【０１１２】
無線基地局装置１０１は、無線端末装置２０２がバッテリー情報を無線基地局装置１０１に送信する方法として、次の２つのタイプの少なくとも一方を指定することができる。１つ目のタイプ（タイプ１）は、定期的に送信するメジャメントレポートにバッテリー情報を含めるタイプである。２つ目のタイプ（タイプ２）は、イベント発生時に送信するメジャメントレポートにバッテリー情報を含めるタイプである。
【０１１３】
また、無線基地局装置１０１は、無線端末装置２０２へ送信するＲＲＣ（Radio Resource Control）コネクション再構成指示(RRC Connection Reconfiguration)において、無線端末装置２０２が送信するバッテリー情報の送信タイミング等を指定することができる。
【０１１４】
図７は本発明の実施形態に係るＲＲＣコネクション再構成指示の内容の一例を示す図である。
【０１１５】
図７の下部に示すように、無線基地局装置１０１は、ＲＲＣコネクション再構成指示において、バッテリー情報を送信するタイミング（triggerType）を指定することができる。このタイミングとして、定期的に送信するメジャメントレポートに含めてバッテリー情報を送信するというタイミング（periodic）と、イベント発生時に送信するメジャメントレポートに含めてバッテリー情報を送信するというタイミング（event）とを指定することができる。また、無線基地局装置１０１は、定期的に送信するメジャメントレポートにバッテリー情報を含める場合、ＲＲＣコネクション再構成指示においてバッテリー情報の送信周期（reportInterval）を指定することができる。
【０１１６】
また、図８は、バッテリー情報を含めたメジャメントレポートの内容の一例を示す図である。図８の下部に示すように、メジャメントレポートに含まれるバッテリー情報は、具体的にはBatteryInfoのパラメータとして、バッテリー残量が閾値以上（High）、バッテリー残量が閾値未満（Low）、又は充電中（recharging）を設定可能である。
【０１１７】
以下、タイプ１とタイプ２とに分けて、無線基地局装置が無線端末装置に対して動作情報を通知する動作について説明する。なお、タイプ２における無線基地局装置の動作については、Ｘ２ＡＰ（X2 Application Protocol）に従って各無線基地局装置間で通信を行うタイプ（タイプ２（Ｘ２ＡＰ））と、Ｓ１ＡＰ（S1 Application Protocol）に従って各無線基地局装置と上位装置との間で通信を行うタイプ（タイプ２（Ｓ１ＡＰ））との２つに分けて説明する。
【０１１８】
（タイプ１）
図９は、無線端末装置２０２が無線基地局装置１０１へ定期的に送信するメジャメントレポートに含まれたバッテリー情報に基づいて、無線基地局装置１０１が無線端末装置２０２に対して動作情報を通知する動作のシーケンスの一例を示す図である。
【０１１９】
図９に示すように、まず、無線基地局装置１０１が、ＲＲＣコネクション再構成指示を無線端末装置２０２へ送信する（ステップＳ１１）。
【０１２０】
無線端末装置２０２と無線基地局装置１０１との間でＲＲＣコネクションが確立されると、無線端末装置２０２は、無線基地局装置１０１へＲＲＣコネクション再構成完了通知(RRC Connection Reconfiguration Complete)を送信する（ステップＳ１２）。
【０１２１】
次に、無線端末装置２０２は、無線基地局装置１０１からのＲＲＣコネクション再構成指示の内容に基づき、各無線基地局装置から送信される無線信号の受信電力を定期的に測定する（ステップＳ１３）。そして、無線端末装置２０２は、この測定結果をメジャメントレポートとして無線基地局装置１０１に送信する（ステップＳ１４）。この無線基地局装置１０１に送られたメジャメントレポートは、無線端末装置２０２のバッテリー情報を含んでいる。このメジャメントレポートの送信周期は、例えば１２０ミリ秒〜６０分までの間で設定可能であり、一般的には１秒間隔であることが多い。ここで、バッテリーの残量の変化が１秒間隔に現れる可能性は低いため、無線端末装置２０２は、例えば１秒周期で送信するメジャメントレポートに対して、１５分前後の周期でバッテリー情報を含めることができる。
【０１２２】
次に、無線基地局装置１０１は、無線端末装置２０２から取得したバッテリー情報に基づき、無線端末装置２０２のバッテリーが充電されているか否か、及びバッテリーの残量が閾値以上であるか否かを判断する。そして、無線基地局装置１０１は、無線端末装置２０２のバッテリーが充電されていなく、且つバッテリーの残量が閾値未満であると判断した場合、動作情報として、無線端末装置２０２における受信電力の測定周期を決定する（ステップＳ１５）。なお、この動作情報として決定された測定周期は、現在無線端末装置２０２において行われている測定周期よりも長い。
【０１２３】
次に、無線基地局装置１０１は、動作情報、すなわちステップＳ１５において決定した受信電力の測定周期を、ＲＲＣコネクション再構成指示において無線端末装置２０２に通知する（ステップＳ１６）。
【０１２４】
次に、無線端末装置２０２と無線基地局装置１０１との間でＲＲＣコネクションが確立されると、無線端末装置２０２は、無線基地局装置１０１へＲＲＣコネクション再構成完了通知を送信する（ステップＳ１７）。これにより、無線端末装置２０２は、無線基地局装置１０１からのＲＲＣコネクション再構成指示の内容に従い、各無線基地局装置から送信される無線信号の受信電力を測定する周期が、ステップＳ１７におけるＲＲＣコネクション再構成完了通知を送信する前の測定周期よりも長くなる。
【０１２５】
（タイプ２（Ｘ２ＡＰ））
図１０は、イベント発生時に無線端末装置が無線基地局装置に送信するメジャメントレポートに含まれたバッテリー情報に基づいて、無線基地局装置が無線端末装置に対して省電力動作に関する指示を与える動作のシーケンスの一例を示す図である。
【０１２６】
図１０に示すように、まず、無線基地局装置１０１Ａが、ＲＲＣコネクション再構成指示を無線端末装置２０２へ送信する（ステップＳ２１）。
【０１２７】
無線端末装置２０２と無線基地局装置１０１Ａとの間でＲＲＣコネクションが確立されると、無線端末装置２０２は無線基地局装置１０１ＡへＲＲＣコネクション再構成完了通知を送信する（ステップＳ２２）。
【０１２８】
次に、無線端末装置２０２は、各無線基地局装置から送信される無線信号の受信電力を測定した結果、イベントが発生したと判断する（ステップＳ２３）。本実施形態において、イベントとは、無線端末装置２０２について、無線基地局装置１０１Ａとの通信状態が悪くなり、且つ無線基地局装置１０１Ａ以外の他の無線基地局装置との通信状態が良くなったことを意味する。
【０１２９】
無線端末装置２０２は、イベントが発生したと判断した場合、メジャメントレポートを無線基地局装置１０１Ａに送信する（ステップＳ２４）。この無線基地局装置１０１Ａに送られたメジャメントレポートは、無線端末装置２０２のバッテリー情報を含んでいる。
【０１３０】
次に、無線基地局装置１０１Ａは、無線端末装置２０２から受信したメジャメントレポートに基づいて、セルＩＤごとの測定結果を示す測定情報、及び無線端末装置２０２のバッテリー情報を取得し、図示しない記憶部に保存する（ステップＳ２５）。
【０１３１】
次に、無線基地局装置１０１Ａは、無線端末装置２０２から受信したメジャメントレポートに基づいて、当該無線端末装置２０２がハンドオーバすべきか否かを判断し、ハンドオーバすべきであると判断すると、周辺セル情報を参照して例えば無線基地局装置１０１Ｂをハンドオーバ先として決定する（ステップＳ２６）。
【０１３２】
次に、無線基地局装置１０１Ａは、無線基地局装置１０１Ｂへハンドオーバ要求を送信する（ステップＳ２７）。なお、このハンドオーバ要求は、無線端末装置２０２のバッテリー情報を含んでいる。
【０１３３】
図１１は、本発明の実施形態におけるハンドオーバ要求の内容の一例を示す図である。図１１の最下段に示すように、ハンドオーバ要求に含まれるバッテリー情報は、具体的にはBattery Informationのパラメータとして、バッテリー残量が閾値以上（High）、バッテリー残量が閾値未満（Low）、又は充電中（recharging）を設定可能である。
【０１３４】
再び図１０を参照して説明を続ける。次に、無線基地局装置１０１Ｂは、ハンドオーバ要求に含まれている無線端末装置２０２のバッテリー情報を取得し、図示しない記憶部に保存する（ステップＳ２８）。そして、無線基地局装置１０１Ｂは、無線基地局装置１０１Ａから取得した無線端末装置２０２のバッテリー情報に基づき、無線端末装置２０２のバッテリーが充電されているか否か、及びバッテリーの残量が閾値以上であるか否かを判断する。無線基地局装置１０１Ｂは、無線端末装置２０２のバッテリーが充電されていなく、且つバッテリーの残量が閾値未満であると判断した場合、動作情報として、無線端末装置２０２における受信電力の測定周期を決定する（ステップＳ２９）。なお、この動作情報として決定された測定周期は、現在無線端末装置２０２において行われている測定周期よりも長い。
【０１３５】
次に、無線基地局装置１０１Ｂは、無線基地局装置１０１Ａからのハンドオーバ要求に対するハンドオーバ応答を無線基地局装置１０１Ａに送信する（ステップＳ３０）。このハンドオーバ応答の送信の際、無線基地局装置１０１Ｂは、動作情報、すなわちステップＳ２９において決定した測定周期も併せて無線基地局装置１０１Ａに送信する。
【０１３６】
無線基地局装置１０１Ａは、ハンドオーバ応答を無線基地局装置１０１Ｂから受信した場合、ステップＳ２９において決定した測定周期を、ＲＲＣコネクション再構成指示において無線端末装置２０２へ通知する（ステップＳ３１）。
【０１３７】
次に、無線基地局装置１０１Ａは、無線基地局装置１０１Ｂへ自己の通信状態等を示す状態通知を送信する（ステップＳ３２）。
【０１３８】
無線端末装置２０２と無線基地局装置１０１Ｂとの間でＲＲＣコネクションが確立されると、無線端末装置２０２は、無線基地局装置１０１ＢへＲＲＣコネクション再構成完了通知を送信する（ステップＳ３３）。そして、無線端末装置２０２は、無線基地局装置１０１ＡからのＲＲＣコネクション再構成指示の内容に従い、各無線基地局から送信される無線信号の受信電力を測定する周期が、ステップＳ３３におけるＲＲＣコネクション再構成完了通知を送信する前の測定周期よりも長くなる。
【０１３９】
次に、無線基地局装置１０１Ｂは、無線端末装置２０２からＲＲＣコネクション再構成完了通知を受信して、ハンドオーバ完了通知及び端末情報解放指示を無線基地局装置１０１Ａに送信する（ステップＳ３４）。
【０１４０】
次に、無線基地局装置１０１Ａは、ハンドオーバ完了通知及び端末情報解放指示を受信して、無線端末装置２０２に関する情報を開放し、無線基地局装置１０１Ｂへ端末情報解放完了通知を送信する（ステップＳ３５）。
【０１４１】
（タイプ２（Ｓ１ＡＰ））
図１２は、イベント発生時に無線端末装置が無線基地局装置に送信するメジャメントレポートに含まれたバッテリー情報に基づいて無線基地局装置が無線端末装置に対して省電力動作に関する指示を与える動作のシーケンスの一例を示す図である。
【０１４２】
図１２に示すように、まず、無線基地局装置１０１Ａが、ＲＲＣコネクション再構成指示を無線端末装置２０２へ送信する（ステップＳ４１）。
【０１４３】
無線端末装置２０２と無線基地局装置１０１Ａとの間でＲＲＣコネクションが確立されると、無線端末装置２０２は無線基地局装置１０１ＡへＲＲＣコネクション再構成完了通知を送信する（ステップＳ４２）。
【０１４４】
次に、無線端末装置２０２は、各無線基地局装置から送信される無線信号の受信電力を測定した結果、イベントが発生したと判断する（ステップＳ４３）。本実施形態において、イベントとは、無線端末装置２０２について、無線基地局装置１０１Ａとの通信状態が悪くなり、且つ無線基地局装置１０１Ａ以外の他の無線基地局装置との通信状態が良くなったことを意味する。
【０１４５】
無線端末装置２０２は、イベントが発生したと判断した場合、メジャメントレポートを無線基地局装置１０１Ａに送信する（ステップＳ４４）。この無線基地局装置１０１Ａに送られたメジャメントレポートは、無線端末装置２０２のバッテリー情報を含んでいる。
【０１４６】
次に、無線基地局装置１０１Ａは、無線端末装置２０２から受信したメジャメントレポートに基づいて、セルＩＤごとの測定結果を示す測定情報、及び無線端末装置２０２のバッテリー情報を取得し、図示しない記憶部に保存する（ステップＳ４５）。
【０１４７】
次に、無線基地局装置１０１Ａは、無線端末装置２０２から受信したメジャメントレポートに基づいて、当該無線端末装置２０２がハンドオーバすべきか否かを判断し、ハンドオーバすべきであると判断すると、周辺セル情報を参照して例えば無線基地局装置１０１Ｂをハンドオーバ先として決定する（ステップＳ４６）。
【０１４８】
次に、無線基地局装置１０１Ａは，無線基地局装置１０１Ｂを示すハンドオーバ要求を上位装置へ送信する（ステップＳ４７）。なお、このハンドオーバ要求は、無線端末装置２０２のバッテリー情報を含んでいる。
【０１４９】
図１３は、本発明の実施形態におけるハンドオーバ要求の内容の一例を示す図であり、図１４は、図１３のBattery Informationの詳細を示す図である。図１３の最下段及び図１４に示すように、ハンドオーバ要求に含まれるバッテリー情報は、具体的にはBattery Informationのパラメータとして、バッテリー残量が閾値以上（High）、バッテリー残量が閾値未満（Low）、又は充電中（recharging）を設定可能である。
【０１５０】
再び図１２を参照して、次に、上位装置は、無線基地局装置１０１Ａからハンドオーバ要求を受信して、無線基地局装置１０１Ｂへ当該ハンドオーバ要求を送信する（ステップＳ４８）。なお、このハンドオーバ要求も、無線端末装置２０２のバッテリー情報を含んでいる。
【０１５１】
図１５は本発明の実施形態に係るハンドオーバ要求の内容の一例を示す図である。図１５の最下段に示すように、上位装置から無線基地局装置１０１Ｂへのハンドオーバ要求におけるバッテリー情報は、上述した無線基地局装置１０１Ａから上位装置へのハンドオーバ要求のときと同じである。
【０１５２】
再び図１２を参照して、次に、無線基地局装置１０１Ｂは、ハンドオーバ要求に含まれている無線端末装置２０２のバッテリー情報を取得し、図示しない記憶部に保存する（ステップＳ４９）。
【０１５３】
無線基地局装置１０１Ｂは、取得した無線端末装置２０２のバッテリー情報に基づき、無線端末装置２０２のバッテリーが充電されているか否か、及びバッテリーの残量が閾値以上であるか否かを判断する。そして、無線基地局装置１０１Ｂは、無線端末装置２０２のバッテリーが充電されていなく、且つバッテリーの残量が閾値未満であると判断した場合、動作情報として、無線端末装置２０２における受信電力の測定周期を決定する（ステップＳ５０）。なお、この動作情報として決定された測定周期は、現在無線端末装置２０２において行われている測定周期よりも長い。
【０１５４】
次に、無線基地局装置１０１Ｂは、上位装置からのハンドオーバ要求に対するハンドオーバ応答を上位装置に送信する（ステップＳ５１）。このハンドオーバ応答の送信の際、無線基地局装置１０１Ｂは、動作情報、すなわち、ステップＳ５０において決定した測定周期も併せて上位装置に送信する。
【０１５５】
次に、上位装置は、無線基地局装置１０１Ｂからハンドオーバ応答を受信して、無線基地局装置１０１Ａへハンドオーバ指示を送信する（ステップＳ５２）。このハンドオーバ指示は動作情報を含んでいる。
【０１５６】
次に、無線基地局装置１０１Ａは、上位装置からハンドオーバ指示を受信して、ステップＳ５０において決定した測定周期をＲＲＣコネクション再構成指示において、無線端末装置２０２へ送信する（ステップＳ５３）。
【０１５７】
次に、無線基地局装置１０１Ａは、上位装置へ自己の通信状態等を示す状態通知を送信する（ステップＳ５４）。
【０１５８】
次に、上位装置は、無線基地局装置１０１Ａから状態通知を受信して、無線基地局装置１０１Ｂへ無線端末装置２０２との通信内容等を示す状態通知を送信する（ステップＳ５５）。
【０１５９】
また、無線端末装置２０２および無線基地局装置１０１Ｂ間でＲＲＣコネクションが確立されると、無線端末装置２０２は、無線基地局装置１０１ＢへＲＲＣコネクション再構成完了通知を送信する（ステップＳ５６）。そして、無線端末装置２０２は、無線基地局装置１０１ＡからのＲＲＣコネクション再構成指示の内容に従い、各無線基地局から送信される無線信号の受信電力を測定する周期が、ステップＳ５６におけるＲＲＣコネクション再構成完了通知を送信する前の測定周期よりも長くなる。
【０１６０】
次に、無線基地局装置１０１Ｂは、無線端末装置２０２からＲＲＣコネクション再構成完了通知を受信して、上位装置へハンドオーバ完了通知を送信する（ステップＳ５７）。
【０１６１】
次に、上位装置は、無線基地局装置１０１Ｂからハンドオーバ完了通知を受信して、端末情報解放指示を無線基地局装置１０１Ａへ送信する（ステップＳ５８）。
【０１６２】
次に、無線基地局装置１０１Ａは、上位装置から端末情報解放指示を受信して、無線端末装置２０２に関する情報を解放し、上位装置へ端末情報解放完了通知を送信する（ステップＳ５９）。
【０１６３】
上記実施形態に係る無線基地局装置では、無線受信部９３及び無線送信部９４が、無線端末装置２０２との間で無線信号を送受信する。そして、バッテリー情報取得部１１が、無線端末装置２０２のバッテリーの状態に関するバッテリー情報を取得する。
【０１６４】
このように、無線基地局装置１０１は、無線端末装置２０２から無線端末装置２０２のバッテリー情報を取得することができるため、このバッテリー情報に基づき無線端末装置に省電力動作を行わせれば、上位ネットワークとの間で制御情報をやり取りすることなく、無線端末装置２０２に省電力動作を行わせることができる。したがって、上位ネットワーク側に多大な負荷を掛けることなく無線端末装置２０２のバッテリー消費を抑制することができる。
【０１６５】
また、本発明の実施形態に係る無線基地局装置では、端末動作決定部１２は、バッテリー情報取得部１１が取得したバッテリー情報に基づき、無線端末装置２０２において行われる動作に関する動作情報を決定する。
【０１６６】
この構成によれば、バッテリー情報に基づき無線端末装置２０２に適切な動作をさせることができる。
【０１６７】
また、本発明の実施形態に係る無線基地局装置では、端末動作決定部１２は、動作情報として、無線端末装置２０２が行う所定の測定動作における測定周期を決定する。
【０１６８】
この構成によれば、バッテリー情報に基づいた適切な周期で測定動作を無線端末装置２０２に対して行わせることができる。
【０１６９】
また、本発明の実施形態に係る無線基地局装置では、端末動作決定部１２は、無線端末装置２０２のバッテリー残量が少ないほど無線端末装置２０２における測定周期が長くなるよう、測定周期を決定する。
【０１７０】
この構成によれば、バッテリー残量が少ないほど無線端末装置２０２による測定動作の頻度を少なくすることができるため、無線端末装置２０２のバッテリー消費を抑制することができる。
【０１７１】
また、本発明の実施形態に係る無線基地局装置では、端末動作決定部１２は、バッテリーの状態が充電中であることをバッテリー情報が示す場合には、動作情報を決定しない。
【０１７２】
バッテリーの状態が充電中であるとき無線端末装置２０２は省電力動作を行う必要がないため、このような構成にすることにより、必要な場合に限って無線端末装置２０２に省電力動作を行わせることができる。
【０１７３】
また、本発明の実施形態に係る無線基地局装置では、無線端末装置２０２は、無線基地局装置からの無線信号の受信電力の測定結果を示す受信電力情報を自己の無線基地局装置１０１に送信する。バッテリー情報取得部１１は、受信電力情報に含まれたバッテリー情報を取得する。
【０１７４】
このようにバッテリー情報を受信電力情報に含めることにより、無線端末装置２０２は新規にバッテリー情報を無線基地局装置１０１に送る必要がなくなり、よりバッテリー消費を抑制することができる。
【０１７５】
また、本発明の実施形態に係る無線基地局装置では、無線基地局装置１０１Ａは、バッテリー情報を含むハンドオーバ要求をハンドオーバ先の無線基地局装置１０１Ｂへ送信するハンドオーバ要求部１３をさらに備える。
【０１７６】
この構成によれば、無線端末装置２０２がハンドオーバした場合であっても、ハンドオーバ先の無線基地局装置１０１Ｂによって、省電力動作の指示を無線端末装置２０２に与えることができる。
【０１７７】
また、本発明の実施形態に係る無線端末装置は、無線基地局装置１０１との間で無線信号を送受信し、自己の無線端末装置におけるバッテリーの状態を監視するためのバッテリー状態監視部２１と、無線基地局装置１０１に対して、バッテリー状態に関するバッテリー情報を送信するためのバッテリー情報送信部２２と、を備えている。
【０１７８】
このように、無線端末装置２０２は自己のバッテリー情報を無線基地局装置１０１へ送信するため、無線基地局装置１０１は、上位ネットワークとの間で制御情報をやり取りすることなく、この無線端末装置との間でやり取りされるバッテリー情報に基づいて無線端末装置２０２に省電力動作を行わせることができる。したがって、上位ネットワーク側に多大な負荷を掛けることなく無線端末装置２０２のバッテリー消費を抑制することができる。
【０１７９】
上記実施形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。例えば、以下に説明する変形例のように、上記実施形態を変更することができる。
【０１８０】
［変形例１］
変形例１に係る無線端末装置２０２は、省電力動作を行う省電力モードと、省電力動作を行わない通常モードとを選択することができる。
【０１８１】
図１６は、変形例１に係る無線基地局装置における制御部の構成を示す図である。図１６に示すように、この変形例１に係る無線基地局装置１０１では、制御部９８は、バッテリー情報取得部１１及び端末動作決定部１２に加え、モード情報取得部１４を備えている。
【０１８２】
モード情報取得部１４は、無線端末装置２０２の選択したモードに関するモード情報を取得する。このモードとは、上述した省電力モード及び通常モードを含む。
【０１８３】
図１７は、変形例１に係る無線基地局装置が、無線端末装置に対して動作情報を通知する際の動作手順を定めたフローチャートである。
【０１８４】
図１７に示すように、まず、モード情報取得部１４は、無線端末装置２０２のモード情報を取得する（ステップＳ７１）。
【０１８５】
次に、バッテリー情報取得部１１は、無線端末装置２０２のモードが省電力モードであるか否か判断する（ステップＳ７２）。バッテリー情報取得部１１が無線端末装置２０２のモードが省電力モードではないと判断すると（ステップＳ７２のＮｏ）、端末動作決定部１２は動作情報を決定することなく処理を終了する。
【０１８６】
バッテリー情報取得部１１は、無線端末装置２０２のモードが省電力モードであると判断すると（ステップＳ７２のＹｅｓ）、無線端末装置２０２のバッテリー情報を取得する（ステップＳ１）。ステップＳ１以降の処理は、上述した実施形態と同じであるため、説明を繰り返さない。
【０１８７】
この変形例１に係る無線基地局装置では、無線端末装置２０２は、省電力動作を行う省電力モードと、省電力動作を行わない通常モードとを選択可能である。無線基地局装置１０１は、無線端末装置の選択したモードに関するモード情報を取得するためのモード情報取得部１４をさらに備えている。
【０１８８】
このような構成により、無線基地局装置１０１において、使用者が無線端末装置２０２を省電力動作させるか否かのいずれかを選択したかを認識することができる。
【０１８９】
また、この変形例１に係る無線基地局装置では、端末動作決定部１２は、無線端末装置２０２が省電力モードであることをモード情報が示す場合に、動作情報を決定する。
【０１９０】
このように使用者が省電力モードを選択した場合にのみ無線端末装置２０２に省電力動作を行わせることにより、省電力モードを望まない使用者の要望に応えることができる。
【０１９１】
［変形例２］
変形例２に係る無線基地局装置は、上記実施形態における端末動作決定部１２が決定する動作情報を、無線端末装置２０２が無線基地局装置１０１に送るサウンディング参照信号（SRS: Sounding Reference Signal）の送信周期としたものである。なお、動作情報以外については、上述した実施形態と同様とすることができる。
【０１９２】
図１８は、変形例２に係る無線基地局装置１０１における制御部９８の構成を示す図である。図１８に示すように、変形例２に係る無線基地局装置１０１の制御部９８は、バッテリー情報取得部１１及び端末動作決定部１２に加え、周波数設定部１５をさらに含んでいる。
【０１９３】
周波数設定部１５は、無線端末装置２０２からのサウンディング参照信号の測定結果を取得し、この測定結果に基づいて、無線端末装置２０２が無線基地局装置１０１へ送る無線信号の周波数を設定する。なお、無線端末装置２０２からのサウンディング参照信号の測定は、受信信号処理部９６によって行われる。
【０１９４】
そして、無線基地局装置１０１における端末動作決定部１２は、動作情報として、無線端末装置２０２が無線基地局装置１０１に送るサウンディング参照信号の送信周期を決定する。具体的には、無線端末装置２０２のバッテリーの残量が閾値未満となったことを端末動作決定部１２が判断すると、無線端末装置２０２におけるサウンディング参照信号の送信周期を決定し、この決定した送信周期は、バッテリー残量が閾値以上であったときのサウンディング参照信号の送信周期よりも長い。そして、端末動作決定部１２は、この決定したサウンディング参照信号の送信周期を無線端末装置に通知する。
【０１９５】
なお、サウンディング参照信号とは、周波数スケジューリング、ＭＣＳ(Modulation and Coding Scheme)の決定、及びプレコーダ選択などを目的として無線端末装置２０２から無線基地局装置１０１へ送信される無線信号のことである。
【０１９６】
図１９は、無線端末装置がサウンディング参照信号を無線基地局装置に送信する方法を示す図である。図１９に示すように、無線端末装置２０２は、複数のアンテナから順番にサウンディング参照信号を送信する。また、無線端末装置２０２は、サウンディング参照信号を複数の帯域において一定の周期で送信する。無線基地局装置１０１における受信信号処理部９６は、このサウンディング参照信号を測定する。周波数設定部１５は、この測定結果を取得し、この測定結果に基づいて、無線端末装置２０２が無線基地局装置１０１へ送信する無線信号の周波数を設定する。
【０１９７】
変形例２に係る無線基地局装置では、端末動作決定部１２は、動作情報として、無線端末装置２０２から自己の無線基地局装置１０１へ送信するサウンディング参照信号の送信周期を決定する。
【０１９８】
このような構成により、バッテリー情報に基づいた適切な周期で、サウンディング参照信号の送信を無線端末装置２０２に行わせることができる。
【０１９９】
また、変形例２に係る無線基地局装置では、端末動作決定部１２は、無線端末装置２０２のバッテリー残量が少ないほど無線端末装置２０２におけるサウンディング参照信号の送信周期が長くなるよう、送信周期を決定する。
【０２００】
このような構成により、バッテリー残量が少ないほど無線端末装置２０２に行わせるサウンディング参照信号の送信頻度を少なくすることができるため、無線端末装置２０２のバッテリー消費を抑制することができる。
【０２０１】
［変形例３］
変形例３に係る無線基地局装置は、上記実施形態における端末動作決定部１２が、動作情報として、無線端末装置２０２における消費電力と送信電力との関係に基づいて、無線端末装置２０２から無線基地局装置１０１への無線信号の送信に関するリソースを決定する。なお、動作情報以外については、上述した実施形態と同様とすることができる。
【０２０２】
変形例３に係る無線基地局装置１０１では、端末動作決定部１２は、動作情報として、無線端末装置２０２が無線信号を送信する際における送信電力と消費電力との関係に基づいて、無線端末装置２０２から無線基地局装置１０１への無線信号の送信に関するリソースを決定する。
【０２０３】
この動作情報を無線端末装置に通知する際の動作について、図２０を参照しつつ詳細に説明する。図２０は、変形例３に係る無線基地局装置が無線端末装置に対して動作情報を通知する際の動作のシーケンスを示す図である。なお、無線基地局装置１０１が、バッテリー情報に基づき動作情報を決定し、この決定した動作情報を無線端末装置２０２に通知するか否か判断するまでの処理は、上述した実施形態と同様であるため、説明を繰り返さない。
【０２０４】
無線基地局装置１０１は、無線端末装置２０２から受信したバッテリー情報に基づき無線端末装置２０２に対して動作情報を決定及び通知すると判断した場合、上位装置に対して無線端末装置２０２の消費電力タイプを問い合わせる（ステップＳ８１）。なお、無線基地局装置１０１は、当該無線端末装置２０２を特定するＩＤも併せて無線端末装置２０２から受信する。
【０２０５】
無線端末装置２０２の消費電力タイプとは、例えば、図２１に示すような送信電力が大きくなるほど、送信電力の増加量に対する消費電力の増加量の比が小さくなるタイプがある。なお、図２１は、無線端末装置における送信電力と消費電力との関係を示す図である。また他にも、図２２に示すような送信電力が大きくなるほど、送信電力の増加量に対する消費電力の増加量の比が大きくなるタイプがある。なお、図２２も、無線端末装置における送信電力と消費電力との関係を示す図である。このような消費電力タイプは、無線端末装置毎に予め決定されており、上位装置は、各無線端末装置のＩＤに対応する消費電力タイプについての情報を図示しない記憶部に予め格納する。
【０２０６】
次に、上位装置は、無線基地局装置１０１に対して、無線端末装置２０２の消費電力タイプを回答する（ステップＳ８２）。
【０２０７】
無線基地局装置１０１は、上位装置からの回答を受けると、無線基地局装置１０１への無線信号の送信に関するリソースを決定し（ステップＳ８３）、この決定した内容を、ＲＲＣコネクション再構成指示として無線端末装置２０２へ送信する（ステップＳ８４）。
【０２０８】
図２３は、無線端末装置２０２が無線信号を送信する際の無線端末装置２０２に割り当てられたリソースを示す図である。図２３において、リソースを周波数軸方向及び時間軸方向に分割した各ブロックがリソースブロックであり、図中の斜線で示したリソースブロックが無線端末装置２０２に割り当てられたリソースである。そして、例えば、無線端末装置２０２の消費電力タイプが図２１に示すようなタイプである場合、無線基地局装置１０１は、図２３に示すように広帯域幅を利用して短時間でデータを送信できるようなリソースを無線端末装置２０２に対して割り当て、この割り当てたリソースの情報を動作情報として無線端末装置２０２に通知する。
【０２０９】
図２４は、無線端末装置２０２が無線信号を送信する際の無線端末装置２０２に割り当てられたリソースを示す図である。図２４において、リソースを周波数軸方向及び時間軸方向に分割した各ブロックがリソースブロックであり、図中の斜線で示したリソースブロックが無線端末装置２０２に割り当てられたリソースである。そして、例えば、無線端末装置２０２の消費電力タイプが図２２に示すようなタイプである場合、無線基地局装置１０１は、図２４に示すように挟帯域幅を利用して長い時間でデータを送信できるようなリソースを無線端末装置２０２に対して割り当て、この割り当てたリソースの情報を動作情報として無線端末装置２０２に通知する。
【０２１０】
無線端末装置２０２と無線基地局装置１０１との間でＲＲＣコネクションが確立されると、無線端末装置２０２は、無線基地局装置１０１へＲＲＣコネクション再構成完了通知を送信する（ステップＳ８５）。
【０２１１】
変形例３に係る無線基地局装置では、端末動作決定部１２は、動作情報として、無線端末装置２０２が無線信号を送信する際における送信電力と消費電力との関係に基づいて、無線端末装置２０２から自己の無線基地局装置１０１への無線信号の送信に関するリソースを決定する。
【０２１２】
このような構成により、バッテリー情報及び無線端末装置２０２の特性に基づいた適切な条件で無線端末装置２０２に無線信号を送信させることができる。したがって、無線端末装置のバッテリー消費をより抑制することができる。
【０２１３】
また、変形例３に係る無線基地局装置では、端末動作決定部１２は、無線端末装置２０２における無線信号の送信電力が大きくなるほど送信電力の増加量に対する消費電力の増加量の比が小さくなる場合、無線信号を送信する際の帯域幅が大きくなるようリソースを決定する。
【０２１４】
このような構成により、無線端末装置２０２は、消費電力の少ない方法で無線信号を送信することができるため、バッテリー消費をより抑制することができる。
【０２１５】
また、変形例３に係る無線基地局装置では、端末動作決定部１２は、無線端末装置２０２における無線信号の送信電力が大きくなるほど送信電力の増加量に対する消費電力の増加量の比が大きくなる場合、無線信号を送信する際の帯域幅が小さくなるようリソースを決定する。
【０２１６】
このような構成により、無線端末装置２０２は、消費電力の少ない方法で無線信号を送信することができるため、バッテリー消費をより抑制することができる。
【０２１７】
［変形例４］
変形例４に係る無線基地局装置は、上記実施形態における端末動作決定部１２が決定する動作情報を、ＤＲＸ（Discontinuous Reception）動作の周期としたものである。なお、動作情報以外については、上述した実施形態と同様とすることができる。
【０２１８】
変形例４において、無線端末装置２０２は、自己の無線基地局装置から受信する通信制御情報に基づいて自己の無線基地局装置と通信を行い、通信制御情報をモニタすべきオン期間及び通信制御情報をモニタしないオフ期間を周期的に繰り返す間欠モニタ動作、例えばＤＲＸ動作を行う。そして、無線基地局装置１０１における端末動作決定部１２は、動作情報として、無線端末装置２０２のＤＲＸ動作の周期を決定する。
【０２１９】
以下、無線端末装置２０２が行うＤＲＸ動作について、図２５を参照しつつ説明する。図２５は無線端末装置のＤＲＸ動作を示す図である。
【０２２０】
図２５に示すように、無線端末装置２０２は、例えば無線基地局装置１０１からのＤＲＸ動作の実行指示を受けて、ＤＲＸサイクルＴｄｒｘごとに、無線基地局装置１０１からの通信制御情報、例えばＰＤＣＣＨ(Physical Downlink Control Channel)をモニタする。より詳細には、無線端末装置２０２は、ＤＲＸサイクルＴｄｒｘにおける、オン期間ＴｏｎにおいてＰＤＣＣＨをモニタし、オフ期間ＴｏｆｆにおいてＰＤＣＣＨのモニタを停止する。オン期間Ｔｏｎは、ＬＴＥでは「Active Time」に相当する。また、例えば、無線端末装置２０２が送信した上りデータが存在する期間は「Active Time」となる。
【０２２１】
そして、無線基地局装置１０１における端末動作決定部１２は、バッテリー情報取得部１１からの情報に基づき、無線端末装置２０２のバッテリー残量が閾値未満であると判断すると、無線端末装置２０２におけるＤＲＸ動作の周期を新たに決定する。なお、この決定した周期は、現在、無線端末装置２０２において行われているＤＲＸ動作の周期よりも長い。そして、端末動作決定部１２が、この決定したＤＲＸ動作の周期を動作情報として無線端末装置２０２に通知すると、無線端末装置２０２は、ＤＲＸ動作の周期、すなわちＤＲＸサイクルＴｄｒｘを長くする動作を行う。
【０２２２】
変形例４に係る無線基地局装置では、無線端末装置２０２は、無線基地局装置１０１から受信する通信制御情報に基づいて無線基地局装置１０１と通信を行い、通信制御情報をモニタすべきオン期間Ｔｏｎ及び通信制御情報をモニタしないオフ期間Ｔｏｆｆを周期的に繰り返す間欠モニタ動作を行うことが可能である。そして、端末動作決定部１２は、動作情報として、無線端末装置２０２のＤＲＸ動作の周期を決定する。
【０２２３】
このような構成により、バッテリー情報に基づいた適切な周期のＤＲＸ動作を無線端末装置２０２に行わせることができる。
【０２２４】
また、変形例４に係る無線基地局装置では、端末動作決定部１２は、無線端末装置２０２のバッテリー残量が少ないほどＤＲＸ動作の周期が長くなるよう、間欠モニタ動作の周期を決定する。
【０２２５】
このような構成により、バッテリー残量が少ないほど無線端末装置２０２に行わせる通信制御情報をモニタする頻度を少なくすることができるため、無線端末装置２０２のバッテリー消費を抑制することができる。
【０２２６】
［変形例５］
また、上記実施形態では、無線端末装置２０２がバッテリー情報をメジャメントレポートに含めて無線基地局装置１０１に送信しているが、バッテリー情報をメジャメントレポートに含めるのではなくバッテリー情報のみを無線基地局装置１０１に送信してもよい。
【０２２７】
図２６は、変形例５に係る無線端末装置が無線基地局装置へ送信するバッテリー情報の内容の一例を示す図である。図２６の下部に示すように、バッテリー情報は、具体的にはBatteryInfoのパラメータとして、バッテリー残量が閾値以上（High）、バッテリー残量が閾値未満（Low）、又は充電中（recharging）を設定可能である。
【０２２８】
［変形例６］
変形例６に係る無線端末装置は、バッテリー情報送信部２２が、バッテリーの残量に応じてバッテリー情報を無線基地局装置１０１に送信する。
【０２２９】
図２７は、変形例６に係る無線端末装置がバッテリー情報を送信する際の動作手順を示すフローチャートである。図２７に示すように、まず、バッテリー状態監視部２１がバッテリーの状態を監視する（ステップＳ９１）。
【０２３０】
次に、バッテリー情報送信部２２が、バッテリー状態監視部２１によって監視しているバッテリーの状態に基づき、バッテリーの残量が閾値以上であるか否か判断する（ステップＳ９２）。
【０２３１】
バッテリー情報送信部２２は、バッテリーの残量が閾値以上であると判断すると（ステップＳ９２のＹｅｓ）、バッテリー情報を送信せずに処理を終了する。一方、バッテリー情報送信部２２は、バッテリーの残量が閾値未満であると判断すると（ステップＳ９２のＮｏ）、バッテリー情報を無線基地局装置１０１に送信する（ステップＳ９３）。
【０２３２】
なお、バッテリーの残量が閾値以上のときもバッテリー情報を送信し、上記ステップＳ９２においてバッテリーの残量が閾値未満になったときに、バッテリーの残量が閾値以上のときよりもバッテリー情報の送信周期を短くするような処理としてもよい。
【０２３３】
変形例６に係る無線端末装置では、バッテリー情報送信部２２は、バッテリーの残量に応じてバッテリー情報を送信する。
【０２３４】
この構成によれば、バッテリー情報を適切な時期に送信することができる。
【０２３５】
また、変形例６に係る無線端末装置では、バッテリー情報送信部２２は、バッテリーの残量が閾値未満となったときに、バッテリー情報を送信する。
【０２３６】
この構成によれば、バッテリーの残量が少なくなった場合、すなわち、無線端末装置２０２が省電力動作を行う必要の高くなったときにバッテリー情報を送信するため、よりバッテリー消費を抑制することができる。
【０２３７】
［変形例７］
上記実施形態では、端末動作決定部１２が決定する動作情報を、無線端末装置２０２が行う所定の測定動作における測定周期としているが、これを無線端末装置２０２が行う所定の測定結果の報告周期とすることができる。
【０２３８】
なお、上述した所定の測定結果とは、無線信号の測定結果、又は無線端末装置２０２の状態の測定結果を例示することができる。無線信号の測定結果の具体例としては、例えば、無線基地局装置１０１から送信される無線信号の受信電力の測定結果、又は無線基地局装置１０１から送信される無線信号の受信品質の測定結果がある。また、無線端末装置２０２の状態の測定結果の具体例としては、無線端末装置２０２の移動速度の測定結果がある。
【０２３９】
変形例７に係る無線基地局装置では、端末動作決定部１２は、バッテリー情報取得部１１からの情報に基づき、無線端末装置２０２のバッテリー残量が閾値未満であると判断すると、例えば、無線端末装置２０２におけるメジャメントレポートの報告周期を新たに決定する。この新たに決定された報告周期は、バッテリー残量が閾値以上であったときの報告周期よりも長い。
【０２４０】
このように、変形例７に係る無線基地局装置では、端末動作決定部１２は、無線端末装置２０２が行う所定の測定結果の報告周期を、動作情報として決定する。
【０２４１】
この構成によれば、バッテリー情報に基づいた適切な周期で所定の測定結果の報告を無線端末装置２０２に対して行わせることができる。
【０２４２】
また、変形例７に係る無線基地局装置では、端末動作決定部１２は、無線端末装置２０２のバッテリー残量が少ないほど報告周期が長くなるよう、報告周期を決定する。
【０２４３】
この構成によれば、バッテリー残量が少ないほど無線端末装置２０２による所定の測定結果の報告頻度を少なくすることができるため、無線端末装置２０２のバッテリー消費を抑制することができる。
【符号の説明】
【０２４４】
１１  バッテリー情報取得部
１２  端末動作決定部
１３  ハンドオーバ要求部
１４  モード情報取得部
１５  周波数設定部
２１  バッテリー監視部
２２  バッテリー情報送信部
９３  無線受信部
９４  無線送信部
１０１  無線基地局装置
２０２  無線端末装置
【図１】
2013201501.tif 000003
【図２】
2013201501.tif 000004
【図３】
2013201501.tif 000005
【図４】
2013201501.tif 000006
【図５】
2013201501.tif 000007
【図６】
2013201501.tif 000008
【図７】
2013201501.tif 000009
【図８】
2013201501.tif 000010
【図９】
2013201501.tif 000011
【図１０】
2013201501.tif 000012
【図１１】
2013201501.tif 000013
【図１２】
2013201501.tif 000014
【図１３】
2013201501.tif 000015
【図１４】
2013201501.tif 000016
【図１５】
2013201501.tif 000017
【図１６】
2013201501.tif 000018
【図１７】
2013201501.tif 000019
【図１８】
2013201501.tif 000020
【図１９】
2013201501.tif 000021
【図２０】
2013201501.tif 000022
【図２１】
2013201501.tif 000023
【図２２】
2013201501.tif 000024
【図２３】
2013201501.tif 000025
【図２４】
2013201501.tif 000026
【図２５】
2013201501.tif 000027
【図２６】
2013201501.tif 000028
【図２７】
2013201501.tif 000029